(57)【特許請求の範囲】
【請求項１】
荷箱（１）の底部に設けるコンベアベルト（２）と該コンベアベルト（２）の終端部に横架した回転軸（３）に設けるビータ（４）を正逆回転させ堆肥の積込みと散布を可能に構成するとともに、該ビータ（４）の横全幅を覆う板体（５）をビータ（４）の上側位置と、コンベアベルト（２）終端に連接する掬い板（４０）下方を含むビータ（４）下側を覆う位置とに位置変更可能に設けてなるマニュアスプレッダ。
【請求項２】
板体（５）をビータ（４）の上側に移動した際に該板体（５）を前方に向けて弾発保持してなる請求項１に記載のマニュアスプレッダ。
【請求項３】
板体（５）を横方向へ複数に分割し、各分割板体が単独で前後へ移動すべくしてなる請求項２に記載のマニュアスプレッダ。
【請求項４】
板体（５）を部分的に屈曲自在な布で構成してなる請求項１あるいは請求項２に記載のマニュアスプレッダ。
【発明の詳細な説明】
【０００１】
【発明の属する技術分野】
本発明は、堆肥の積み込みと散布が行えるようにしたマニュアスプレッダに関する。
【０００２】
【従来の技術】
底部にコンベアベルトを設けた荷箱の先端に横回転軸で回転するビータを設け、コンベアベルトとビータを正逆回転させて堆肥の散布と積み込みを行なうようにしたマニュアスプレッダが有る。
このマニュアスプレッダで堆肥を積み込む場合には、荷箱先端のビータが地面上の堆肥に接近するよう荷箱を傾けてコンベアベルトを荷箱の奥へ送り込むよう回動させながら、ビータを正転させたり逆転させたりする。堆肥が少ない場合には、ビータの下側からコンベアベルト上へ掻き込むようにビータを回転させ、堆肥が多い場合には、ビータの上側からコンベアベルト上へ掻き込むようにビータを回転させる。
【０００３】
【発明が解決しようとする課題】
前記のマニュアスプレッダで堆肥をビータの上側からコンベアベルト上へ掻き込む際には、堆肥が荷箱側へ向かって飛散することになり、ビータの上部を覆う必要がある。
また、荷箱へ堆肥を満載して移動走行する際に堆肥がコンベアベルトの先端とビータとの間から零れ落ちることがある。
そこで本発明では、これらの不都合を解消することを課題とする。
【０００４】
【課題を解決するための手段】
荷箱１の底部に設けるコンベアベルト２と該コンベアベルト２の終端部に横架した回転軸３に設けるビータ４を正逆回転させ堆肥の積込みと散布を可能に構成するとともに、該ビータ４の横全幅を覆う板体５をビータ４の上側位置と、コンベアベルト２終端に連接する掬い板４０下方を含むビータ４下側を覆う位置とに位置変更可能に設けてなるマニュアスプレッダを構成した。
【０００５】
【発明の作用及び効果】
このマニュアスプレッダは、コンベアベルト２とビータ４を正転させたり逆転させたりして堆肥の積み込みと散布が行なえるのである。堆肥の積み込みや散布を行なう場合には、板体５をビータ４の上側位置に変更する。積込時には、荷箱１をダンプさせてビータ４側を地面に接近させて機体を前進させると、掬い板４０の掬い作用とビータ４の掻き込み作用により堆肥がコンベアベルト２上に送られ後方に搬送される。この積込み時、地面上の堆肥の高さが、ビータ４の高さ以上に積まれている場合には、ビータ４の回転をＢ方向として堆肥をビータ４の上側からコンベアベルト２上へ掻き込むと効率がよい。この場合、ビータ４の回転により堆肥が上方へ跳ね飛ばされ易いが、ビータ４上側に位置する板体５によって飛散する堆肥が止められてコンベアべルト２上に案内されるため、作業者等に降りかかることがない。
また、堆肥を荷箱１に積み込んだ状態で散布する圃場等へ運搬移動する場合には、板体５を掬い板４０を含むビータ４の下側を覆う位置に移動することで、堆肥がコンベアベルト２の先端から零れ落ちるのを受け止め道路等の汚染を防止できる。
尚、板体５をビータ４の上側に移動した際にこの板体５を前方に向けて弾発保持すれば、堆肥の積み込み時に板体５が堆肥の山に当たれば後退して破損することなくまたこの板体５が積み込みの支障とならない。
板体５を横方向へ複数に分割し各分割板体を前方に向けて弾発保持するか、板体５を部分的に屈曲可能な布で構成すれば、板体５の一部が堆肥に当たった際に板体５前端の堆肥と当たった部分のみが後退するように変位して当たっていない部分とに隙間が生じることがなく、作業者側への堆肥の飛び出しを効果的に防ぐことができる。
【０００６】
【実施例】
次に、本発明の実施例を図面を参照しながら説明する。
車台フレーム１０は左右側部にクローラ１１からなる走行装置１２を具備し、後部の駆動取付部１３には原動機１４を搭載している。この駆動取付部１３の下側には、ミッションケース１５を取り付け走行装置１２に動力を伝動するようにしている。
駆動取付部１３の上側には、左右中央に操縦台１６を設け、この操縦台１６の左側に原動機１４を搭載している。
操縦台１６の上部には左右操向レバー１７と走行クラッチレバー１８及び前後進変速レバー１９等の操縦操作具を立設し、後方へ向けてハンドル杆２０を突設している。２１は後進時に作業者が後方障害物との間に挟まれるのを防ぐ安全ガードで前方へ押されると走行を停止する。
【０００７】
車台フレーム１０の前側には、荷箱１を取り付けているが、その取り付けは、荷箱１の後側底部を左右の枢支軸２２で車台フレーム１０に枢支し、荷箱１の前側左右中央底部と車台フレーム１０の前部左右中央を複動式油圧シリンダ２３で連結して、この油圧シリンダ２３を伸ばした状態で荷箱１を水平に保持している。
荷箱１の底部には前後にローラ２４，２５を横架し、中間部の底板２６を挟んでコンベアベルト２をローラ２４，２５に巻き掛けてコンベアを構成している。荷箱１の左右側部には側枠２７，２７を立設し、後側には後枠２８を立設し前側にビータ４を取り付けている。
【０００８】
後枠２８の後側には、コンベアベルト２とビータ４の回転方向と速度を変速する変速機構２９を設け、後枠２８の内部下方には傾斜板３０を設け、その先端に弾性板３１をコンベアベルト２上に押し付けて取り付けている。
ビータ４は、左右側板３２，３２に横架軸支した回転軸３に所定間隔で跳板３３を配設している。
ビータ４の荷箱１側上部には、覆枠３４を設けて荷箱１の前部を覆い、ビータ４に接近して流量規制板３５を設けている。
【０００９】
ビータ４の左右側板３２，３２の外側で回転軸３に軸支してビータの円周略１／４程度を全横幅にわたって覆う板体５を設けている。この板体５はばね３６で引っ張ってビータ４の上側あるいは下側に保持されるよう、ストップ部材３７，３８を設けている。上側のストップ部材３７は、ばね３９で前方へ向けて付勢していて、板体５の前端が堆肥に当たると後退するようにしている。
尚、図示を省略したが、板体５を横方向へ複数に分割して各分割板体が前後へ単独で動くようにしたり、板体５を布で張って構成し堆肥に当たると部分的に屈曲して堆肥の飛散を防ぎながら破損しないようにしたりすることもできる。
４０は掬い板である。
【００１０】
以上の如く構成したマニュアルスプレッダで堆肥を荷箱１内へ積み込む場合には、荷箱１をダンプさせてビータ４の下側を地面に接近させて前進する。堆肥がビータ４の高さ以下に積まれる場合には、ビータ４の回転を正転方向Ａとして堆肥をビータ４の下側からコンベアベルト２上へ掻き込み、堆肥がビータ４の高さ以上に積まれている場合には、ビータ４の回転を逆転方向Ｂとして堆肥をビータ４の上側から板体５で案内されながらコンベアベルト２上へ掻き込む。このとき、コンベアベルト２は荷箱１の奥へ向かう積み込み方向Ｃへ駆動する。
堆肥を散布する場合で幅広く散布する場合には、車台を後方へ向かって走行させながらビータ４を逆転方向Ｂへ回転させ、狭い範囲に散布する場合には、ビータ４を正転方向Ａへ回転させ、コンベアベルト２を送り出し方向Ｄへ散布量に応じた微速で駆動する。このとき、流量規制板３５が作用して一度に多量の堆肥が散布されるのを防ぐことになる。
【図面の簡単な説明】
【図１】本発明実施例の一部を断面とした側面図である。
【符号の説明】
１    荷箱
２    コンベアベルト
３    回転軸
４    ビータ
５    板体
【図１】
0003598512.tif 000002